(57)【要約】【課題】遊技者にとって有利な状態を生起させるか否かを決定する方法が斬新で趣向性が高く、長期間に亘って遊技者の遊技意欲を高く保持することが可能な遊技機を提供する。【解決手段】パチンコ機１は、所定条件の充足を契機として羽根部材５２ａ，５２ｂを回動させて開閉する第１大入賞装置２６が遊技領域内に設けられており、その内部には、遊技者にとって有利な状態を生起させる契機となる特定領域５６が設けられている。また、パチンコ機１においては、第１大入賞装置２６の羽根部材５２ａ，５２ｂの開閉動作の態様が複数種類設定されており、その開閉動作の態様の違いによって、入賞した遊技球が特定領域５６へ導かれる確率が異なるように制御される。【選択図】図４
2019092582.tif 000002
【特許請求の範囲】
【請求項１】
遊技領域内に、開閉動作を行う入賞手段が設けられており、所定条件の充足を契機として、前記入賞手段が開閉動作を実行し、その開成した入賞手段内に遊技球が入って内部に設けられた特定領域に導かれると遊技者にとって有利となる遊技機であって、
前記所定条件の充足を契機とする前記入賞手段の開閉動作の態様が複数種類設定されており、
その入賞手段の開閉動作の態様の違いによって、開成した入賞手段へ入賞した遊技球が前記特定領域へ導かれる確率を異ならせることを特徴とする遊技機。
【請求項２】
前記入賞手段の開閉動作の態様の違いが、入賞手段の開成回数の違いとして設定されていることを特徴とする請求項１に記載の遊技機。
【請求項３】
前記入賞手段内に、特定領域への入賞確率に影響を与える可動式の振り分け部材が設けられており、
その振り分け部材の作動内容により、開成した入賞手段へ入賞した遊技球が前記特定領域へ導かれる確率を異ならせることを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
従来、遊技機の一種であるパチンコ機として、遊技球の流路を振り分けるための振分装置を遊技盤面に設けたものが知られている（特許文献１）。この特許文献１の振分装置は、モータによって一定のタイミングで回転する振分部材を備えており、遊技球が振分装置の進入口に進入すると、その遊技球が、回転している振分部材によって、遊技者にとって有利な状態を生起させる契機となる第１始動口、または、遊技者にとって有利な状態の生起とは無関係の第２始動口の何れかに振り分けられるようになっている。
【先行技術文献】
【特許文献】
【０００３】
【特許文献１】特開２０１５−１２００６０号公報
【発明の概要】
【発明が解決しようとする課題】
【０００４】
しかしながら、上記特許文献１の如き振分装置を有するパチンコ機は、遊技者にとって有利な状態を生起させるか否かを決定付ける振分部材の作動内容が単純であるため、趣向性が低く、短期間の内に遊技者の遊技意欲を減退させてしまう、という不具合がある。
【０００５】
本発明の目的は、上記従来のパチンコ機の問題点を解消し、遊技者にとって有利な状態を生起させるか否かを決定する方法が斬新で趣向性が高く、長期間に亘って遊技者の遊技意欲を高く保持することが可能な遊技機を提供することにある。
【課題を解決するための手段】
【０００６】
かかる本発明のうち、請求項１に記載された発明は、遊技領域内に、開閉動作を行う入賞手段が設けられており、所定条件の充足を契機として、前記入賞手段が開閉動作を実行し、その開成した入賞手段内に遊技球が入って内部に設けられた特定領域に導かれると遊技者にとって有利となる遊技機であって、前記所定条件の充足を契機とする前記入賞手段の開閉動作の態様が複数種類設定されており、その入賞手段の開閉動作の態様の違いによって、開成した入賞手段へ入賞した遊技球が前記特定領域へ導かれる確率を異ならせることを特徴とするものである。
【０００７】
請求項２に記載された発明は、請求項１に記載された発明において、前記入賞手段の開閉動作の態様の違いが、入賞手段の開成回数の違いとして設定されていることを特徴とするものである。
【０００８】
請求項３に記載された発明は、請求項１、または請求項２に記載された発明において、その振り分け部材の作動内容により、開成した入賞手段へ入賞した遊技球が前記特定領域へ導かれる確率を異ならせることを特徴とするものである。
【発明の効果】
【０００９】
請求項１に記載の遊技機は、入賞手段の開閉動作の態様が複数種類設定されており、その入賞手段の開閉動作の態様の違いによって、入賞手段へ入賞した遊技球が特定領域（すなわち、遊技者にとって有利な状態を生起させる契機となる入賞領域あるいは通過領域）へ導かれる確率が変化するため、趣向性が高く、遊技者の遊技意欲を長期間に亘って高く保持することができる。
【００１０】
請求項２に記載の遊技機は、入賞手段の開閉動作の態様の違いが、入賞手段の開成回数の違いとして設定されており、有利な状態を生起させ易い入賞手段の開閉動作の態様が遊技者に分かり易いので、遊技者の遊技意欲をきわめて長期間に亘って高く保持することができる。
【００１１】
請求項３に記載の遊技機は、振り分け部材の動作内容の微調整によって、特定領域への入球確率を、精度良くコントロールすることができる。
【図面の簡単な説明】
【００１２】
【図１】パチンコ機を前面側から示した説明図である。
【図２】遊技盤を前面側から示した説明図である。
【図３】パチンコ機を後面側から示した説明図である。
【図４】第１大入賞装置を前面側から示した説明図である。
【図５】第１大入賞装置を示す説明図である（ａは第１大入賞装置の上部の拡大図（正面図）であり、ｂはａにおけるＡ−Ａ線断面図（端面図）である）。
【発明を実施するための形態】
【００１３】
以下、本発明の遊技機の一実施形態であるパチンコ機について、図面に基づいて詳細に説明する。
【００１４】
＜パチンコ機の構造＞
図１は、パチンコ機１を前面側から示した説明図であり、図２は、遊技盤２を前面側から示した説明図であり、図３は、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体（外枠）として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１５】
当該遊技領域１６は、遊技盤２の前面に円弧状に配設された外レール２３および内レール２４（誘導レール）等によって囲まれており、遊技領域１６に左部における両レール２３、２４間が遊技球を遊技領域１６内へ打ち込むための発射通路１３とされている。また、遊技領域１６の上寄りとなる位置には、「０」〜「９」の数字からなる図柄や種々のメッセージ等を表示するための表示部６ａ，６ａを備えたドット表示器である表示装置６（表示手段）が設置されている。さらに、表示装置６の下方で遊技領域１６の中央部から下部にかけて、遊技球が進入する進入口５１，５１、各進入口５１を開閉する２個一対の羽根部材５２ａ，５２ｂ、進入口５１，５１から進入した遊技球を合流させる合流路５３，５３、シーソー役物３０を始めとした種々の電動装置、シーソー役物３０へ遊技球を送り込むための送球部材３１、遊技球が通過可能な特定領域５６、およびアウト口５７，５７等を備えた第１大入賞装置（特別入賞装置）２６が設置されている。
【００１６】
また、表示装置６および第１大入賞装置２６の左方には、遊技球が流下可能で、遊技球が入賞可能な抽選入賞口１９、および複数の普通入賞口８４，８４・・等が設置された左打ち用スペースＳＬが形成されており、この左打ち用スペースＳＬを流下させることで、抽選入賞口１９への遊技球の入賞が狙えるようになっている。一方、表示装置６および第１大入賞装置２６の右方にも遊技球が流下可能な右打ち用スペースＳＲが形成されている。この右打ち用スペースＳＲには、遊技球が通過可能なゲート部材２０、開閉動作する可動片を有する可動入賞装置１７、遊技球の特定領域５６の通過に起因して開成する特別入賞装置である第２大入賞装置１８、および普通入賞口８４が設置されている。そして、この右打ち用スペースＳＲを流下させることで、ゲート部材２０を通過させたり、開動作している可動入賞装置１７へ入賞させたり、開成している第２大入賞装置１８へ入賞させたりすることができるようになっている。なお、左打ち用スペースＳＬや右打ち用スペースＳＲには、多数の遊技釘が植設されている。また、第１大入賞装置２６への遊技球の入賞は、左打ち用スペースＳＬおよび右打ち用スペースＳＲのどちらを流下させても、ほぼ同じ確率で狙うことができる。さらに、遊技領域１６の最下端には、当該位置まで到達した遊技球を遊技領域１６外へ排出するための排出口４７が設けられている。
【００１７】
また、機枠３の前面側であって上記遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、それぞれ機枠３に対して片開き可能となっている。さらに、貯留皿８の右側には、遊技球発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
【００１８】
さらに、前扉４の上部には、効果音や各種メッセージ等を報音するそれぞれ一対のスピーカ１４，１４が設けられている。加えて、前扉４の左右両側部には、パチンコ機１の遊技状態等に応じて点灯・点滅する複数のＬＥＤを内蔵したランプ部材１５，１５・・が設けられている。
【００１９】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御基板や装置・部材に電源電圧を供給するための電源装置２９等が設置されている。また、機枠３の後面の上部には、合成樹脂製で扁平な直方体状に形成されたセンターカバー２１が設置されている。当該センターカバー２１の内部には、遊技に係る主たる制御（たとえば、所謂大当たり抽選等）を実行するためのメイン制御装置（図示せず）、表示装置６における表示動作等を制御する表示制御装置（図示せず）、ランプ部材１５の点灯・点滅動作等を制御する発光制御装置（図示せず）、スピーカ１４からの報音動作を制御する音制御装置（図示せず）、および表示制御装置や音制御装置等の動作を統合的に制御するサブ制御装置（図示せず）等が設置されている。また、電源装置２９の右斜め下方には、供給皿７内の遊技球を遊技領域内へ打ち込むための遊技球発射装置１０が設置されている。
【００２０】
＜パチンコ機の遊技内容＞
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂、“左打ち”を行い）、抽選入賞口１９への遊技球の入賞を狙う。また、遊技球が抽選入賞口１９へ入賞すると、メイン制御装置（図示せず）内で「小当たり抽選」が実施され、きわめて高い確率で「小当たり」が生起する。また、遊技球が抽選入賞口１９へ入賞するのと同時に、表示装置６において所定時間に亘る図柄の変動表示を実施する。そして、「小当たり」が生起すると、表示装置６に所定の「小当たり表示」がなされた後に、羽根部材５２ａ，５２ｂが外向きに回動して進入口５１，５１が開放される（すなわち、第１大入賞装置２６が開成する）。なお、羽根部材５２ａ，５２ｂは、所定の時間をかけて外向きに回動した後に、閉じた状態に復帰する。
【００２１】
パチンコ機１においては、「小当たり」として「特定小当たり」と「非特定小当たり」との２種類が設定されており、「特定小当たり」となった場合には、表示装置６に「小当たり表示」として「２」が表示された後に、羽根部材５２ａ，５２ｂが外向きの回動を２回断続的に繰り返す（すなわち、２回断続的に開成する）。一方、「非特定小当たり」となった場合には、表示装置６に「小当たり表示」として「１」が表示された後に、羽根部材５２ａ，５２ｂが外向きの回動を１回のみ実行する（すなわち、１回のみ開成する）。なお、パチンコ機１においては、すべての「小当たり」中の約１／３が「特定小当たり」となるように設定されている。
【００２２】
遊技者は、上記した羽根部材５２ａ，５２ｂの開成動作中も、“左打ち”を継続し、第１大入賞装置２６の左側から遊技球の第１大入賞装置２６への進入（第１大入賞装置２６への入賞）、ひいては特定領域５６の通過を狙うことができる。なお、メイン制御装置は、遊技球が抽選入賞口１９へ入賞した時点で内部抽選を行い、きわめて高い確率で「小当たり状態」を発生させ、表示装置６にて所定の小当たり表示を行う。また、羽根部材５２ａ，５２ｂが外向きの回動を完了した時点で「小当たり状態」を終了させる。
【００２３】
そして、遊技球が特定領域５６を通過すると、第２大入賞装置１８が所定回数にわたり断続的に開成する所謂「大当たり状態」が生起する。そこで、遊技者は、遊技球を右打ち用スペースＳＲへ打ち込んで流下させる所謂、“右打ち”を行い、断続的に開成する第２大入賞装置１８への遊技球の入賞を狙う。また、遊技球が特定領域５６を通過（入賞）した場合には、表示装置６に、「Ｖ，Ｖ」等の図柄を表示することによって（ボーナス獲得表示）、「大当たり状態」が生起した旨が表示される。なお、第１大入賞装置２６へ進入したものの、特定領域５６を通過しなかった遊技球は、何れかのアウト口５７を介して遊技盤２の後面側へ排出される。
【００２４】
また、「大当たり状態」が終了すると、ゲート部材２０への遊技球の通過検知に起因して実行される所謂当たり抽選の結果が「当たり」となり易く、可動入賞装置１７が頻繁に開状態となって遊技球の入賞が可能となる所謂、「サポート状態」が生起する。そこで、遊技者は“右打ち”を継続し、ゲート部材２０への遊技球の通過、および、頻繁に開状態となる可動入賞装置１７への遊技球の入賞を狙うことができる。そして、遊技球が可動入賞装置１７へ入賞すると、表示装置６に所定の小当たり表示がなされた後に、羽根部材５２ａ，５２ｂが作動して進入口５１，５１が開放されるため、“右打ち”を継続し、第１大入賞装置２６の右側から遊技球の第１大入賞装置２６への進入、ひいては、特定領域５６の通過を狙う。なお、メイン制御装置は、遊技球が可動入賞装置１７へ入賞した時点で内部抽選を行い、きわめて高い確率で「小当たり状態」を発生させ、表示装置６にて所定の小当たり表示を行う。また、遊技球が抽選入賞口１９へ入賞した場合と同様に、羽根部材５２ａ，５２ｂが外向きの回動を完了した時点で「小当たり状態」を終了させる。
【００２５】
上記した「サポート状態」は、羽根部材５２ａ，５２ｂが作動することによる第１大入賞装置２６の開成回数が所定回数に達するまで継続される。したがって、「サポート状態」中に遊技球が特定領域５６を通過する度に、「大当たり状態」の生起、および「大当たり状態」の終了に伴う「サポート状態」の生起がループすることになる。一方、「サポート状態」中に遊技球が特定領域５６を通過することなく、第１大入賞装置２６の開成回数が所定回数に達すると、「サポート状態」は終了となり、ゲート部材２０への遊技球の通過検知に起因して実行される当たり抽選の結果が「当たり」となりにくく（あるいは「当たり」とならず）、可動入賞装置１７がほぼ開状態とならない（あるいは開状態になることがない）遊技開始当初の通常状態へ復帰する。そのため、遊技者は、“右打ち”を止めて“左打ち”を行う上記遊技へと戻る。
【００２６】
＜パチンコ機の特徴部分の説明＞
パチンコ機１の第１大入賞装置２６の内部の中央上方には、遊技球が転動可能な略水平状のステージ７１が設けられており、そのステージ７１上には、円盤体７２が、内蔵されたステッピングモータ（図示せず）によって略鉛直な回転軸を中心として回転可能に設けられている。そして、その円盤体７２の上面には、“城”をモディファイした形状の回転誘導部材（振り分け部材）７３が固着されている。当該回転誘導部材７３は、下側に４本の脚体７４，７４・・が設けられており、それらの脚体７４，７４・・によって円盤体７２に固着されている。そして、図５に示すように、それらの脚体７４，７４・・の間を遊技球が通過可能になっている。
【００２７】
また、回転誘導部材７３の背面の後方には、合流路５３，５３に導かれた遊技球が排出される排出口７０が設けられており、回転誘導部材７３の正面の前方、左右の前方には、それぞれ、遊技球が通過可能な流下口７５ａ〜７５ｃが設けられている。さらに、左側の流下口７５ｂは、導球路７６ｂを介してステージ７１の左下方に設けられたスロープ路７７と連通した状態になっており、右側の流下口７５ｃは、導球路７６ｃを介してステージ７１の左下方に設けられたスロープ路７７と連通した状態になっている。一方、中央の流下口７５ａは、導球路７６ａを介してステージ７１の右下方に設けられたスロープ路７８と連通した状態になっている。
【００２８】
さらに、ステージ７１の左下方のスロープ路７７は、前側上方から後側下方に伸長しており、先端（後端）において、後側上方から前側下方に伸長した導球路７９の基端（後端）と連通した状態になっている。さらに、その導球路７９の先端（前端）は、前側上方から後側下方に伸長した第一流下路８８の基端（後端）、および、略鉛直方向に伸長した第二流下路８０のそれぞれの基端と連通した状態になっている。また、導球路７９の先端際（前端際）には、幅広な長方形状の振り分け体８３が上下動可能に設けられている。
【００２９】
一方、ステージ７１の右下方のスロープ路７８の先端は、略円形の皿状で２つの排出孔９２ａ，９２ｂを穿設してなるクルーン９１と連通した状態になっている。また、クルーン９１の下側には、遊技球を載置可能な長尺状のシーソー部材９３が、前後方向の中央の枢着軸を中心として揺動（傾動）可能に設けられている。（なお、それらのクルーン９１、シーソー部材９３等によってシーソー役物３０が構成された状態になっている）。当該シーソー部材９３は、前端縁を後端縁よりも外側に位置させるように前方から後方にかけて傾斜状に配置されている。さらに、シーソー部材９３の後端際には、略鉛直方向に伸長した第三流下路８９が設けられており、シーソー部材９３の前端際には、略鉛直方向に伸長した第四流下路８２が設けられている。
【００３０】
また、第１大入賞装置２６の内部の中央下方には、遊技球を載置可能で前端の中央に排出口８６を設けた皿状の導球部材８５が、左右に揺動可能に設けられている。そして、導球部材８５の下側には、わずかに前下がりに傾斜状した平板状の第二ステージ８７が設けられており、その第二ステージ８７には、上面を流下する遊技球の障害物となる複数の突起を設けた２つの回転テーブル４５，４５が、略鉛直な回転軸を中心として回転可能に設けられている。また、第二ステージ８７の前端際の中央には、遊技球が通過可能な特定領域５６が設けられており、特定領域５６の左右には、それぞれ、遊技球をアウト口５７へ導く導球路９０，９０が設けられている。
【００３１】
上記の如く構成された第１大入賞装置２６においては、遊技球が抽選入賞口１９へ入賞して「小当たり」が生起した場合には、表示装置６において「小当たり表示」が実施され、羽根部材５２ａ，５２ｂが外向きに回動した後に（すなわち、羽根部材５２ａ，５２ｂが所定時間だけ開成した後に）、円盤体７２に固着された回転誘導部材７３が、内蔵されたステッピングモータ（図示せず）によって、所定の時間に亘る回動動作を実行する。
【００３２】
すなわち、「非特定小当たり」が生起した場合には、図４、図５の如く正面を前方に向けた状態（以下、初期姿勢ともいう）で停止している回転誘導部材７３が、羽根部材５２ａ，５２ｂの開成後に、所定の回転速度（約３秒／３６０°）で時計回りに略３６０°回転した後に停止する（したがって、回転誘導部材７３は、再度、初期姿勢で停止する）。なお、上記の如く、「非特定小当たり」が生起した場合には、表示装置６に「１」が表示された後に、羽根部材５２ａ，５２ｂが１回のみ開成する。
【００３３】
一方、「特定小当たり」が生起した場合には、表示装置６に「２」が表示された後に、羽根部材５２ａ，５２ｂが２回断続的に開成する。そして、羽根部材５２ａ，５２ｂの１回目の開成後に、初期姿勢で停止している回転誘導部材７３が、所定の回転速度（約３秒／３６０°）で時計回りに略３６０°回転した後に停止する（したがって、回転誘導部材７３は、再度、初期姿勢で停止する）。しかしながら、羽根部材５２ａ，５２ｂの２回目の開成後には、回転誘導部材７３は回動せず、初期姿勢で停止した状態を保持する。なお、上記したようにパチンコ機１においては、羽根部材５２ａ，５２ｂの開成態様は２通りに設定されているが、回転誘導部材７３の動作内容は一定になっている。
【００３４】
そして、羽根部材５２ａ，５２ｂが外向きに回動することによって開口した進入口５１，５１から遊技球が内部へ侵入すると、その遊技球は、合流路５３，５３を介して排出口７０から排出され、ステージ７１上を略直線状に前方へ流下する。そして、ステージ７１上を略直線状に前方へ流下した遊技球は、上記の如く回動している回転誘導部材７３の脚体７４，７４・・と衝突すると、その流下方向が変化する。すなわち、「特定小当たり」が生起して、回転誘導部材７３が正面を前方に向けた状態で停止している場合には、排出口７０から排出された遊技球は、きわめて高い確率で、回転誘導部材７３の脚体７４，７４・・の間を通って流下口７５ａに導かれるが、回転誘導部材７３が回動している場合には、きわめて高い確率で、回転誘導部材７３の脚体７４，７４・・と衝突して左側の流下口７５ｂあるいは右側の流下口７５ｃに導かれる。
【００３５】
中央の流下口７５ａに導かれた遊技球は、導球路７６ａを介してステージ７１の右下方のスロープ路７８に導かれる。そのようにスロープ路７８に導かれた遊技球は、スロープ路７８に沿って流下した後に、クルーン９１上へ導かれる。そして、クルーン９１上を転動した後に、２つの排出孔９２ａ，９２ｂの内のいずれかからシーソー部材９３上へ流下し、シーソー部材９３の揺動によって、第三流下路８９あるいは第四流下路８２に導かれるようになっている。そして、第三流下路８９に導かれた遊技球は、皿状の導球部材８５の上に導かれる。一方、第四流下路８２に導かれた遊技球は、第二ステージ８７の右側に導かれて、きわめて高い確率（９５％以上）で導球路９０を介してアウト口５７へ導かれる。なお、シーソー役物３０においては、シーソー部材９３上を転動した遊技球が、概ね８：２の割合で、優先的に第三流下路８９に振り分けられるように、クルーン９１の２つの排出孔９２ａ，９２ｂの大きさ、シーソー部材９３の形状、揺動態様等が調整されている。
【００３６】
また、左右の流下口７５ｂあるいは左右の流下口７５ｃに導かれた遊技球は、それぞれ、導球路７６ｂあるいは導球路７６ｃを介してステージ７１の左下方のスロープ路７７に導かれる。そのようにスロープ路７７に導かれた遊技球は、スロープ路７７および導球路７９に沿って流下した後に、振分け体８３の上下動によって、第一流下路８８あるいは第二流下路８０に振り分けられる。なお、振分け体８３は、導球路７９の先端に導かれた遊技球を、概ね８：２の割合で優先的に第二流下路８０に振り分けるように、上下動の態様が調整されている。そして、第一流下路８８に導かれた遊技球は、皿状の導球部材８５の上に導かれる。一方、第二流下路８０に導かれた遊技球は、第二ステージ８７の左側に導かれて、きわめて高い確率（９５％以上）で導球路９０を介してアウト口５７へ導かれる。
【００３７】
第一流下路８８あるいは第三流下路８９を介して皿状の導球部材８５の上に導かれた遊技球は、導球部材８５の上面で転動した後に、導球部材８５の前端中央の排出口８６から第二ステージ８７上に排出される。そのように遊技球が排出口８６から第二ステージ８７上に排出される際に、導球部材８５が第二ステージ８７の中央（幅方向の中央）の上方に位置していると、その遊技球は、左右の回転テーブル４５，４５に接触することなく、特定領域５６に到達することが可能となる。すなわち、パチンコ機１においては、遊技球が導球部材８５に導かれた場合の方が、第二流下路８０あるいは第四流下路８２を介して第二ステージ８７の左右に導かれた場合よりも高い確率で特定領域５６に入賞するように、導球部材８５の往復動作や回転テーブル４５，４５の回転動作等が制御されるようになっている。
【００３８】
したがって、パチンコ機１においては、遊技球がステージ７１上で流下口７５ａに導かれた方が、遊技球がステージ７１上で流下口７５ｂあるいは流下口７５ｃに導かれた場合よりも高い確率で、特定領域５６に導かれるようになっている。すなわち、パチンコ機１においては、回転誘導部材７３を一時的に停止させる「特定小当たり」が生起した場合の方が、回転誘導部材７３を回動させ続ける「非特定小当たり」が生起した場合よりも高い確率で、遊技球が特定領域５６に導かれるようになっている。
【００３９】
＜パチンコ機の効果＞
パチンコ機１は、上記の如く、所定条件の充足（抽選入賞口１９への遊技球の入賞）を契機とする第一大入賞装置（入賞手段）２６の開閉動作の態様が複数種類（すなわち、「特定大当たり」の生起による２回開成、および、「非特定大当たり」の生起による１回のみの開成）設定されており、その第一大入賞装置２６の開閉動作の態様の違いによって、開成した入賞手段へ入賞した遊技球が特定領域５６へ導かれる確率を異ならせるように構成されている。したがって、パチンコ機１は、第一大入賞装置２６の開閉動作の態様の違いによって遊技者にとって有利な状態である「大当たり状態」の生起確率が変化するため、趣向性が高く、遊技者の遊技意欲を長期間に亘って高く保持することができる。
【００４０】
また、パチンコ機１は、第一大入賞装置２６の開閉動作の態様の違いが、第一大入賞装置２６の開成回数の違い（２回開成あるいは１回のみの開成）として設定されており、「大当たり状態」を生起させ易い第一大入賞装置２６の開閉動作の態様（すなわち、「特定大当たり」の生起による２回開成）が遊技者に分かり易いので、遊技者の遊技意欲をきわめて長期間に亘って高く保持することができる。
【００４１】
さらに、パチンコ機１は、第一大入賞装置２６内に、特定領域５６への入賞確率に影響を与える可動式の振り分け部材（回転誘導部材７３）が設けられており、その振り分け部材の作動内容により、開成した第一大入賞装置２６へ入賞した遊技球が特定領域５６へ導かれる確率を異ならせるものであるため、振り分け部材（回転誘導部材７３）の動作内容の微調整によって、特定領域５６への入球確率を、精度良くコントロールすることができる。
【００４２】
加えて、パチンコ機１は、特定領域５６への入賞確率に影響を与える可動式の振り分け部材が、所定条件の充足（抽選入賞口１９への遊技球の入賞）を契機として鉛直軸を中心とした回転動作を開始する回転誘導部材（回転部材）７３であり、第一大入賞装置２６の開閉動作の態様の違い（すなわち、「特定大当たり」の生起による２回開成、あるいは、「非特定大当たり」の生起による１回のみの開成）に応じて、第一大入賞装置２６の開閉動作終了後における回転誘導部材７３の状態を異ならせるものであるため、特定領域５６への入球確率を、非常に高い精度でコントロールすることができる。
【００４３】
＜遊技機の変更例＞
なお、本発明に係る遊技機の構成は、上記実施形態の構成に何ら限定されるものではなく、抽選入賞口、演出表示部（表示装置）、特別入賞装置（第１大入賞装置、第２大入賞装置）、羽根部材、回転部材、特定領域等の形状、構造等の構成や、「大当たり状態」の生起時の作動内容等の遊技内容等を、本発明の趣旨を逸脱しない範囲で必要に応じて適宜変更することができる。
【００４４】
たとえば、本発明に係る遊技機は、上記実施形態の如く、遊技球の抽選入賞口への入賞を条件として第１大入賞装置を所定回数にわたって（断続的に）開成させる「小当たり状態」を発生させるとともに、第１大入賞装置内の特定領域の通過を条件として第２大入賞装置を所定回数にわたって断続的に開成させる「大当たり状態」を発生させるものに限定されず、遊技球の特定領域への入賞を条件として、第１大入賞装置のみを所定回数にわたって断続的に開成させる「大当たり状態」を所定回数だけ継続させるもの等に変更することも可能である。また、本発明に係る遊技機は、「大当たり状態」の終了後に「サポート状態」を生起させるものに限定されず、「大当たり状態」の終了後に通常の遊技状態に復帰するもの等でも良い。
【００４５】
また、本発明に係る遊技機は、上記実施形態の如く、「小当たり」になった場合に回転部材を一定の方向に回転させ続けるものに限定されず、「小当たり」になった場合に回転部材に時計回り・反時計回りの回動を繰り返させるもの等でも良い。また、本発明に係る遊技機は、上記実施形態の如く、「特定小当たり」になった場合に入賞装置（第１大入賞装置）の開成後（２回目の開成後）に回転部材を所定の姿勢で停止させたまま保持するものに限定されず、「特定小当たり」生起後に所定の時間（たとえば、３〜５秒間）だけ回転部材の回動開始を遅らせるものや、「特定小当たり」になった場合に「非特定小当たり」になった場合よりも回転部材を遅い速度で回動させるもの等、「小当たり」の種類に応じて（すなわち、入賞手段の開閉動作の態様の違いに応じて）回転部材の作動内容を異ならせるものに変更することも可能である。加えて、回転部材は、上記実施形態の如く、ステッピングモータによって回転（回動）するものに限定されず、ソレノイド等の別の駆動装置によって回転（回動）するものに変更することも可能である。
【００４６】
さらに、本発明に係る遊技機は、上記実施形態の如く、「非特定小当たり」になった場合に羽根部材を１回のみ開成し、「特定小当たり」になった場合に羽根部材を２回開成させるものに限定されず、「小当たり」の態様を３種類以上設けることも可能であるし、「小当たり」の種類に応じた入賞装置の開閉態様も、必要に応じて適宜変更することができる。
【００４７】
また、本発明に係る遊技機は、上記実施形態の如く、羽根部材を作動させる駆動装置がソレノイドであるものに限定されず、当該駆動装置がステッピングモータ等のソレノイド以外の駆動装置であるものに変更することも可能である。
【００４８】
また、本発明に係る遊技機は、上記実施形態の如く、（入賞手段内に入賞した遊技球の流下速度を考慮した上で）入賞手段の開閉動作の態様により、入賞装置の開成後の回転部材の姿勢を調整することによって、開成した入賞手段へ入賞した遊技球が特定領域へ導かれる確率を異ならせたものに限定されず、（入賞手段内に入賞した遊技球の流下速度を考慮した上で）入賞手段の開閉動作の態様により、入賞装置の開成後のシーソー部材、導球部材や振り分け体の作動内容や作動タイミング等を調整することによって、開成した入賞手段へ入賞した遊技球が特定領域へ導かれる確率を異ならせたもの等に変更することも可能である。
【００４９】
なお、特許請求の範囲、明細書および図面に記載される全ての要素（たとえば、遊技領域、遊技盤、振分手段、大型遊技部材、制御装置等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００５０】
１・・パチンコ機（遊技機）
１６・・遊技領域
１９・・抽選入賞口
２６・・第１大入賞装置（入賞手段）
５２ａ，５２ｂ・・羽根部材
７３・・回転誘導部材７３（振り分け部材）
【図１】
2019092582.tif 000003
【図２】
2019092582.tif 000004
【図３】
2019092582.tif 000005
【図４】
2019092582.tif 000006
【図５】
2019092582.tif 000007